(57)【要約】      （修正有）【課題】自動塗装における塗装品質の安定化を図るため、自動塗装機の自動ガン取付軸に固定する場合の取付角度の再現性を容易にする治具を提供する。【解決手段】回転位置を自在に選択して取り付けることができる自動ガンの取付軸に、同じく回転位置を自在に選択して固定可能な緊締手段を設けた治具であって、この治具に自動ガンの回転位置を規制し所定に位置において当接して回転を停止する係止片を設けたことを特徴とする。係止片は治具本体と分離可能とし、自動ガンに合わせて交換可能とする。【選択図】図２
0003116262.tif 000002
【実用新案登録請求の範囲】
【請求項１】
回転位置を自在に選択して取り付けることができる自動スプレーガンの取付軸に、同じく回転位置を自在に選択して固定可能な緊締手段を設け、前記自動スプレーガンの回転位置を規制し所定の位置において当接して回転を停止する係止片を設けてなる自動スプレーガンの取付位置再生治具。
【請求項２】
前記係止片は治具本体と分離可能とし、自動スプレーガンに合わせた形状のものと交換可能とした請求項１の取付位置再生治具。
【考案の詳細な説明】
【技術分野】
【０００１】
本考案は、塗装機に設置して自動塗装に使用していたスプレーガンを点検等で中断した後、再び塗装機に設置する場合に、中断前と同じ状態に再設定を容易にするための治具に関する。
【背景技術】
【０００２】
塗装を工業的に行い、生産性をあげるために多くは自動塗装装置が使用される。自動塗装はスプレーガンを搭載した塗装機を決められた作動により、繰り返し正確に行うことによって品質の安定した塗装を可能にするものである。したがって最初に最も適切な状態を繰り返しテストした結果に基づいてスプレーガンを設置し、その状態を正しく維持することが重要となってくる。
【０００３】
塗装ロボットや自動塗装装置に搭載されたスプレーガンは長時間連続して使用されるが、塗装条件は種々の要因で変動することは避けられず、定時間毎に正常に作動されているかの確認が必要とされている。変動に気づかず塗装を継続して多量の塗装不良を出すことは避けなければならず、それまでの実績と経験によって作業を一端中止し、必要な確認作業が行われる。
【０００４】
塗装作業で最も多くの変動要因が影響して変動しやすく、塗装の品質に影響する条件として吐出量が上げられ、設備的に可能であれば流量の確認を自動的に行い、補正を行うなどの吐出量管理システムを採用することも可能であるが、多くの場合人的な作業にとどまっているのが現状である。
【０００５】
この場合、塗装作業を中断し、スプレーガンを取付け軸から取り外し、実際にスプレーガンからの吐出量を測定するか、取付け軸に取り付けたままスプレーガンの吐出方向を被塗装物の方向とは異なる下方に向け、下部に塗料受けを置いて実際の吐出量を測定確認する方法で行われる。そして必要であれば調整を行った後、再び作業中断前の状態にセットして塗装作業を継続することになる。
【０００６】
前述のようにスプレーガンのセットは正確にする必要があり、取付け角度が異なると塗装の仕上がりが異なり品質にバラツキが生じてしまうため、作業中断前と同じ状態に取り付けることができ、しかもその作業が容易にできることが必要となる。
【考案の開示】
【考案が解決しようとする課題】
【０００７】
本考案は自動塗装機の自動ガン取付軸に固定する場合の取付角度の再現性を高め、自動塗装における塗装品質の安定化を図る。中断前の状態にワンタッチで再設定ができるようにし、作業の能率を高めることが課題である。
【課題を解決するための手段】
【０００８】
回転位置を自在に選択して取り付けることができる自動ガンの取付軸に、同じく回転位置を自在に選択して固定可能な緊締手段を設けた治具を設け、この治具に自動スプレーガンの回転位置を規制し所定の位置において当接して回転を停止する係止片を設ける。正規の自動スプレーガン取付位置に固定したとき、この治具の係止片を自動ガンの一部に当接させた位置で固定することで位置決めが可能になる。この係止片は治具本体と分離可能とし、自動ガンに合わせた形状のものに交換可能とする。
【考案の効果】
【０００９】
回転位置を自在に選択して固定可能な緊締手段を設けた治具を、自動スプレーガンの固定位置に係止片を当接させた状態で予め固定しておくことによって、自動スプレーガンをいつでも同じ位置に設定することが容易に可能になる。取り外したり、位置を変えてしまった場合に、再びもとの位置に戻す時、再測定や噴霧方向の再確認をすることなくワンタッチ操作で簡単に戻すことができる。したがって作業中断を最小限にでき、調整時間の短縮ができる他、作業者の調整ミス等を防止できることになる。
【００１０】
自動スプレーガンの構造、大きさ等は種々あり、当接する係止片の位置や形状は固定もしくは兼用できるものではない。本考案は係止片が使用する自動スプレーガンに合わせて交換できるように着脱自在としているため、多くの自動スプレーガンに対応させることができる。
【考案を実施するための最良の形態】
【００１１】
図1は本考案の治具１を一部のみ断面して示している。本体２は一部切断部２１を設けた円環状で、中心部に取付軸３が挿入される。前記切断部２１には一方側からボルト４が挿入され他方にねじ込まれる構成で、中心部の内径を調整できる構造である。したがって取付軸３を挿入した後、ねじを締め込めば取付軸３に固定されることになる。
【００１２】
この固定方法自体は一般に使用される技術であり、他にも直接軸に力を加え摩擦力で固定するなど、幾多の緊締手段が用いられて良い。
【００１３】
また本体の一部には外周部から突出するように係止片５が設けられている。図の例ではＬ形に曲げられた金具がねじ６によって交換自在に取り付けられている。もし特定の自動スプレーガンに使用が限定される場合は本体１と一体に形成しても当初の目的を達成することができる。
【００１４】
自動塗装機の取付軸３に固定されるスプレーガンは一般に取付軸の周りに回転できる状態で取り付けられる。図２および図３の例では自動スプレーガン７が前記取付軸３に嵌合された取付ステー８の取付片１８にボルト等で固定されている。したがってこの取付ステー８により自動スプレーガン７は取付軸３の周りに回転して、固定する時は固定ねじ９等の締め付けにより任意の位置に固定することができるように構成されている。
【００１５】
前記係止片５と自動スプレーガン７もしくはこれと一体の取付ステー８の一部とは当接して、一方の固定により、他方の回転が規制されるように位置付けられている。したがって、まず自動スプレーガン７が被塗装物に対する塗装確認のうえ適正な位置に固定され、この固定位置に合わせて治具１を回転させて係止片５が自動スプレーガン７もしくは取付ステー８の一部と当接したところで治具１を固定する。塗装作業の途中で点検・確認のため自動スプレーガン７を取り外したり、固定された位置を点線で示すような位置に変え、再度同じ位置に固定する時には、すでに固定されている治具１の係止片５に対して自動スプレーガン７もしくは取付ステー８の一部が当接する位置で改めて自動スプレーガン７を固定すればよい。
【００１６】
図４の例は他の形態を持つ自動スプレーガン１７の場合で、この自動スプレーガン１７はガン本体に取付軸との固定手段を備えており、取付ステーを使用していない。したがって治具の係止片５は直接自動スプレーガンの一部に当接して固定位置を確定することになる。
【００１７】
これらの場合当接位置は自動スプレーガンの形状により異なり、係止片の形状、位置を変更する必要が生ずる。このような場合には係止片を使用する自動スプレーガンに合わせて交換できるようにすることで、適切な状態で実施することができる。
【図面の簡単な説明】
【００１８】
【図１】本考案の治具の構造を示し、一部固定手段の部分を断面で示した図である。
【図２】自動スプレーガンと関係位置を示す取付状態図である。
【図３】図２を右側から見た側面図。
【図４】他の形態を持つ自動スプレーガンの取付状態を示す図である。
【符号の説明】
【００１９】
１    治具
２    本体
３    取付軸
４    ボルト
５    係止片
６    ねじ
７    自動スプレーガン
８    取付ステー
９    固定ねじ
１７  自動スプレーガン
１８  取付片
２１  切断部
【図１】
0003116262.tif 000003
【図２】
0003116262.tif 000004
【図３】
0003116262.tif 000005
【図４】
0003116262.tif 000006